(57)【特許請求の範囲】
【請求項１】
適宜設置面上に配置される支持基台と、
前記支持基台との間に閉塞空間を形成するように弛みをもって前記支持基台に係着され
たシート体と、
前記支持基台とシート体との間の前記閉塞空間内に外気を送入する気体送入手段と、
前記シート体の内面に係着する係着部材を有し、該係着部材を前記閉塞空間の内部に向かう方向と、外部に向かう方向とに往復動させる駆動手段とを前記閉塞空間内の前記支持基台上に備え、
前記駆動手段が、
上下方向に揺動自在に支持された揺動部材と、
前記支持基台上に配設され、前記揺動部材を揺動自在に支持する支持機構と、
一端が前記シート体の内面に係着し、他端が前記揺動部材に係着する係着部材と、
前記揺動部材を前記上下方向に揺動させる揺動駆動機構とから構成されてなり、
前記気体送入手段によって前記閉塞空間内に外気を送入することにより、前記閉塞空間
が膨張して、前記シート体が外側に緊張状態で膨出するとともに、前記駆動手段の係着部
材を前記方向に往復動させることにより、前記係着部材が係着した前記シート体の該係着
部が前記閉塞空間の内部に向けて凹んだり、外側に膨出したりするように構成されてなる
ことを特徴とする遊戯装置。
【請求項２】
前記揺動部材は、その略中央部が前記支持機構によって支持され、該支持機構を挟んだ
両側にそれぞれ前記係着部材が設けられ、各係着部材はそれぞれその一端が前記揺動部材
に係着され、他端が前記シート体の内面に係着されてなることを特徴とする請求項１に記載の遊戯装置。
【発明の詳細な説明】
【技術分野】
【０００１】
本発明は、遊園地やデパート，スーパーマーケットなどの遊戯コーナーに設置可能な遊戯装置に関する。
【背景技術】
【０００２】
出願人は、上述の遊園地やデパート，スーパーマーケットなどの遊戯コーナーに設置可能な遊戯装置として、既に、特開平２００４−２７５３４５号公報，特開平２００４−２７５４９２号公報，特開平２００５−１３１２０７号公報に開示されるような遊戯装置を提案している。
【０００３】
これらの遊戯装置は、いずれも、製造コストが安価で、設置スペースが小さく、しかも幼児が気軽に利用することができるという利点を有する。
【０００４】
【特許文献１】特開平２００４−２７５３４５号公報
【特許文献２】特開平２００４−２７５４９２号公報
【特許文献３】特開平２００５−１３１２０７号公報
【発明の開示】
【発明が解決しようとする課題】
【０００５】
上述したように、出願人は、既に、幼児層に向けた種々の遊戯装置を提案している。しかしながら、それでも尚、自我形成の初期段階にあり、あらゆる事象に興味を示す幼児層に対して、従来、十分な種類の遊戯装置が提供されているとは言い難い状況にある。
【０００６】
本発明は、このような実情に鑑み、幼児向けに提供される遊戯装置の多様化を図るべくなされたものであって、製造コストが安価で、設置スペースが小さく、しかも幼児が気軽に利用することができる遊戯装置の提供をその目的とする。
【課題を解決するための手段】
【０００７】
上記課題を解決するための本発明は、
適宜設置面上に配置される支持基台と、
前記支持基台との間に閉塞空間を形成するように弛みをもって前記支持基台に係着され
たシート体と、
前記支持基台とシート体との間の前記閉塞空間内に外気を送入する気体送入手段と、
前記シート体の内面に係着する係着部材を有し、該係着部材を前記閉塞空間の内部に向かう方向と、外部に向かう方向とに往復動させる駆動手段とを前記閉塞空間内の前記支持基台上に備え、
前記駆動手段が、
上下方向に揺動自在に支持された揺動部材と、
前記支持基台上に配設され、前記揺動部材を揺動自在に支持する支持機構と、
一端が前記シート体の内面に係着し、他端が前記揺動部材に係着する係着部材と、
前記揺動部材を前記上下方向に揺動させる揺動駆動機構とから構成されてなり、
前記気体送入手段によって前記閉塞空間内に外気を送入することにより、前記閉塞空間
が膨張して、前記シート体が外側に緊張状態で膨出するとともに、前記駆動手段の係着部
材を前記方向に往復動させることにより、前記係着部材が係着した前記シート体の該係着
部が前記閉塞空間の内部に向けて凹んだり、外側に膨出したりするように構成されてなる
ことを特徴とする遊戯装置に係る。
【０００８】
この遊戯装置によれば、まず、気体送入手段によって、シート体と支持基台との間に形成された閉塞空間内に外気を送入する。これにより、前記閉塞空間内の圧力が増加して、弛みをもって支持基台に係着された前記シート体が外側に膨出し緊張した状態となる。
【０００９】
外気が送入され、外側に膨出したシート体の当該膨出部は、内部の空気圧によりエアマットのような弾性を有することになる。斯くして、遊戯者は、このような弾性を有するシート体の膨出部に乗り上がることで、ふわふわとした浮遊感を味わうことができる。
【００１０】
次に、前記駆動手段を作動させて、その係着部材を前記閉塞空間の内部に向かう方向と、外部に向かう方向とに往復動させると、前記係着部材が係着した前記シート体の該係着部が前記閉塞空間の内部に向けて凹んだり、外側に膨出したりする。
【００１１】
したがって、前記閉塞空間の頂部に前記係着部材を係着させると、当該係着部が下方向に移動して内側に凹んだり、上方に移動して外側に膨出したりする。そして、このように、内側に凹んだり、外側に膨出したりする部分に遊戯者が乗り上がることで、遊戯者は、上述した浮遊感に加えて、弾性体がもこもこと動く感覚や上下動に伴う感覚を体感することができ、より楽しい遊戯を行うことができる。
【００１２】
尚、前記係着部材が前記シートに係着する部分は、上述した閉塞空間の頂部に限られるものではなく、例えば、これを閉塞空間の側面に当たる部分に係着させても良い。このようにすれば、上記のような感覚を体感させることはできないが、膨出部の側面が内側に凹んだり、外側に膨出したりするので、外観上の面白さを提供することができる。
【００１４】
更に、前記揺動部材は、その略中央部が前記支持機構によって支持され、該支持機構を挟んだ両側にそれぞれ前記係着部材が設けられ、各係着部材の一端が前記揺動部材に係着され、他端が前記シート体の内面に係着されていても良い。
【００１５】
このようにしても、上記と同様の効果が奏される。
【００１６】
尚、前記シート体には、天然樹脂や合成樹脂から構成された通気性を有しないシート状のものの他、各種繊維から構成された織編物からなり、通気性を有するものの、気体送入手段から継続的に外気が送入されることによって前記閉塞空間内の内圧が高まり、自体外側に緊張状態で膨出した形状を維持することができるものも含まれる。
【発明の効果】
【００１７】
以上説明したように、本発明によれば、外気を送入することで、シート体が外側に膨出して弾性を有した状態となるので、遊戯者は、このような弾性を有する膨出部に乗り上がることで、ふわふわとした浮遊感を味わうことができる。
【００１８】
また、膨出部が下方向に凹んだり、上方に膨出したりする場合には、この上に遊戯者が乗り上がることで、上述した浮遊感に加えて、弾性体がもこもこと動く感覚や上下動に伴う感覚を体感することができ、より楽しい遊戯を行うことができる。また、当該膨出部の側面が内側に凹んだり、外側に膨出したりする場合には、外観上の面白さを提供することができる。
【００１９】
また、上記構成の遊戯装置は、その製造コストが安価で、設置スペースが小さくて足り、しかも幼児が気軽に利用することができるという利点を有する。
【発明を実施するための最良の形態】
【００２０】
以下、本発明の具体的な実施形態に係る遊戯装置を、図面に基づいて説明する。図１は、本実施形態に係る遊戯装置を示した正面図であり、図２は、その平面図である。また、図３は、図２における矢視Ｉ−Ｉ方向の断面図である。
【００２１】
図１及び図２に示すように、本例の遊戯装置１は、概略形状がピーナツ状をした外観を備えており、その具体的な構造は、図３に示すように、適宜設置面Ｇ上に配置される支持基台２と、この支持基台２との間に閉塞空間１５を形成するように弛みをもって支持基台２に係着されたシート体１０と、閉塞空間１５内に外気を送入する送気機構２０と、閉塞空間１５内の支持基台２上に配設された駆動装置３０とを備えた構造となっている。
【００２２】
前記支持基台２は、小判型をした基板３とこの基板３の下面に固着された駒部材４とからなり、前記設置面Ｇ上に配置されたとき、設置面Ｇと基板３下面との間に隙間が生じるようになっている。
【００２３】
前記シート体１０は、上記の如く、前記支持基台２との間に閉塞空間１５を形成するように、弛みをもってその下縁部が前記基板３の下面周縁部に係着されており、大気圧より高い圧力の空気が前記閉塞空間１５内に送入されると、外側に膨出して緊張した状態となり、上記のように２つの凸部１１，１２を有する略ピーナツ状をした外観形状となる。
【００２４】
尚、このシート体１０には、天然樹脂や合成樹脂から構成された通気性を有しないシート状のもの他、各種繊維から構成された織編物からなり、通気性を有するものの、送気機構２０によって継続的に外気が送入されることにより、前記閉塞空間１５内の内圧が高まり、自体外側に緊張状態で膨出した形状を維持することができるものも含まれる。
【００２５】
前記送気機構２０は、前記閉塞空間１５内の前記基板３上に配設されたブロア２１と、このブロア２１の吸気部２１ａに接続された吸気ホース２２とからなり、この吸気ホース２２の他端は、前記基板３を上下に貫通する吸気孔５に接続されている。斯くして、ブロア２１が作動すると、吸気孔５，吸気ホース２２を介して、吸気部２１ａからブロア２１内部に外気が吸気され、所定圧力の空気となって送気部２１ｂから閉塞空間１５内に送気される。
【００２６】
前記駆動装置３０は、上下方向に揺動自在に支持された長尺の揺動板３１と、基板３上に配設され、揺動板３１の長手方向中央部を支持して、これを揺動自在に支持する支持機構３２と、この支持機構３２を挟んだ両側にそれぞれ設けられ、各々その一端が前記揺動板３１に係着され、他端が前記シート体１０の凸部１１，１２の内面に係着された係着部材３３，３６と、揺動板３１を前記上下方向に揺動させる揺動駆動機構４０とから構成される。
【００２７】
また、前記係着部材３３，３６は、漏斗状をし、その上端部が凸部１１，１２を形成するシート体１０の内面に係着された第１部材３４，３７と、この第１部材３４，３７に接続されたロープ状の第２部材３５，３８からなり、これら第１部材３４，３７及び第２部材３５，３８はそれぞれ可撓性を有する。
【００２８】
また、前記揺動駆動機構４０は、前記基板３上に配設された駆動モータ４１と、一端が駆動モータ４１の出力軸に接続される第１クランク部材４２と、一端が前記揺動板３１の下面に軸着され、他端が前記第１クランク部材４２の他端に軸着される第２クランク部材４３とからなり、駆動モータ４１の出力軸がその軸中心に回転すると、第１クランク部材４２及び第２クランク部材４３のリンク関係から、揺動板３１が上下方向（図示Ａ−Ｂ方向）に揺動する。
【００２９】
以上の構成を備えた本例の遊戯装置１によれば、まず、ブロア２１を作動させて、所定圧力に高められた外気を閉塞空間１５内に送入する。閉塞空間１５内に外気が送入されると、当該閉塞空間１５内の圧力が増加して、シート体１０が外側に膨出して緊張した状態となり、図１乃至図３に示す如く、２つの凸部１１，１２の形成された略ピーナツ状をした外観形状となる。
【００３０】
外気が送入され、外側に膨出したシート体１０は、内部の空気圧によりエアマットのような弾性を備えた状態となり、遊戯者は、このような弾性を有するシート体１０に乗り上がることで、ふわふわとした浮遊感を味わうことができる。
【００３１】
次に、前記駆動モータ４１を駆動して、揺動板３１を上下方向に揺動させる。いま、図３に図示する矢示Ａ方向に揺動板３１を揺動させると、即ち、揺動部材３１の図示左側が下方に、右側が上方に移動するように揺動させると、図４に示すように、凸部１２に係着した係着部材３６の係着部がこの係着部材３６の作用により下方に引き下げられて、凸部１２はその中心部がより凹んだ状態となり、逆に凸部１１に係着する係着部材３３の係着部は上方に移動して、凸部１１はその中心部の凹みが緩和され、より外側に膨出した状態となる。
【００３２】
そして、この状態から、揺動板３１を矢示Ｂ方向に揺動させると、図５に示すように、凸部１１に係着した係着部材３６の係着部が下方に引き下げられて、凸部１１の中心部が凹んだ状態となる一方、凸部１２に係着した係着部材３３の係着部は上方に移動して、凸部１２はより外側に膨出した状態となる。
【００３３】
このように、揺動板３１を矢示Ａ−Ｂ方向に交互に揺動させることで、凸部１１，１２は、揺動板３１の揺動に合わせて、その中心部がそれぞれ上下方向に移動する。尚、図４及び図５では、上側に移動した係着部材３３，３６を弛緩した状態で図示しているが、これに限るものではなく、これらが緊張した状態となるように設定しても良い。
【００３４】
斯くして、遊戯者は、中心部が内側に凹んだり、外側に膨出したりする凸部１１，１２上に乗り上がることで、上述した浮遊感に加えて、弾性体がもこもこと動く感覚や上下動に伴う感覚を体感することができ、より楽しい遊戯を行うことができる。
【００３５】
尚、上記のように構成された本例の遊戯装置１は、その製造コストが安価で、設置スペースが小さくて足り、しかも幼児が気軽に利用することができるという利点がある。
【００３６】
以上、本発明の一実施形態について説明したが、本発明の採り得る具体的な態様は、何らこれに限定されるものではない。
【００３７】
例えば、上例では、２つの凸部１１，１２を形成したが、これに限るものではなく、凸部は一つでも、或は３つ以上でも良い。また、シート体１０の外観形状は上例のものに限られるものでは無く、どのような形状であっても良い。
【００３８】
また、上例においては、シート体１０の上面（凸部１１，１２）を上下させるようにしたが、これに限るものではなく、シート体１０の側面部をその内側に凹ませたり、外側に膨出させるようにしても良い。
【００３９】
また、前記シート体１０を、透光性を有する部材から構成するとともに、前記閉塞空間１５内に照明装置を配設してもよく、この場合には、照明装置から照射された光がシート体１０を透過して外部に漏れ出るため、この照明によって遊戯装置１の装飾的効果が一層高められる。
【産業上の利用可能性】
【００４０】
本発明に係る遊戯装置は、遊園地やデパート，スーパーマーケットなどの遊戯コーナーに設置可能な遊戯装置として、好適である。
【図面の簡単な説明】
【００４１】
【図１】本発明の一実施形態に係る遊戯装置を示した正面図である。
【図２】図１に示した遊戯装置の平面図である。
【図３】図２における矢視Ｉ−Ｉ方向の断面図である。
【図４】本実施形態に係る遊戯装置の作用を説明するための説明図である。
【図５】本実施形態に係る遊戯装置の作用を説明するための説明図である。
【符号の説明】
【００４２】
１    遊戯装置
２    支持基台
１０  シート体
２０  送気機構
３０  駆動装置
３２  支持機構
３３，３６  係着部材
【図１】
0004535970.tif 000002
【図２】
0004535970.tif 000003
【図３】
0004535970.tif 000004
【図４】
0004535970.tif 000005
【図５】
0004535970.tif 000006